(57)【要約】【課題】床下地材の目地模様が化粧材に表出することがない床下地材、床構造および床構造の施工方法を提供する。【解決手段】四角形の軟質フローリング材１２を同一方向に敷き詰めて床表面を形成する床構造１０であって、フローリング材１２の下に配置される第２下地は、対向する一対の第４の辺（２３）と対向する一対の第３の辺（２２ａ）によって周囲の輪郭が形成された四角形の板状の第２床下地材１６ａを敷き詰めて構成されており、第２床下地材１６ａは、第３の辺がフローリング材１２の第１の辺の方向、第４の辺がフローリング材１２の第２の辺の方向に向けて配置されており、第３の辺は、第１及び第２の辺の方向と斜めに交差する方向成分を有する直線又は曲線を描く変形部分を有し、変形部分は、第２の辺の方向に関して隣接する別の第２床下地材１６ａの変形部分に突き合わされ、第２床下地材と別の第２床下地材が第２の辺の方向に隙間無く配置される。【選択図】図１
2009203626.tif 000002
【特許請求の範囲】
【請求項１】
第１の方向を向く１対の第１の辺と第２の方向を向く第２の辺によって周囲の輪郭が形成された軟質フローリング材を敷き詰めて床表面が形成される床構造であって、
上記フローリング材の下に配置される下地は、対向する一対の第３の辺と、対向する一対の第４の辺とによって周囲に輪郭が形成された四角形の板状下地板を敷き詰めて構成されており、
上記下地材は、上記第３の辺が上記フローリング材の第１の方向に向けて配置され、上記第４の辺が上記フローリング材の第２の方向に向けて配置されており、
上記第３の辺は、上記第１及び第２の方向と斜めに交差する方向の方向成分を有する直線又は曲線を描く変形部分を有し、
上記第３の辺の上記変形部分は、上記下地材を敷いたときに上記第２の方向に関して隣接する別の下地材に上記変形部分と相補的関係をもって形成されている別の上記第３の辺の変形部分に突き合わされ、上記下地材と上記別の下地材が上記第１の方向に隙間無く配置されるように形成されている、
ことを特徴とする床構造。
【請求項２】
上記第４の辺は、上記第１及び第２の方向と斜めに交差する方向の方向成分を有する直線又は曲線を描く変形部分を有し、
上記第４の辺の上記変形部分は、上記下地材を敷いたときに上記第１の方向に関して隣接する別の下地材に上記変形部分と相補的関係をもって形成されている別の上記第４の辺の変形部分に突き合わされ、上記下地材と上記別の下地材が上記第２方向に隙間無く配置されるように形成されている、
ことを特徴とする請求項１に記載の床構造。
【請求項３】
コンクリート、モルタル下地、石膏ボード等の無機材料による下地又は構造用合板、パーティクルボード等の木質材料による下地からなる基準面の上に、下地材と軟質フローリング材を積層して構成される床構造の施工方法において、
上記フローリング材は、第１の方向を向く１対の第１の辺と第２の方向を向く第２の辺によって周囲の輪郭が形成さており、
上記下地材は、対向する一対の第３の辺と、対向する一対の第４の辺とによって周囲の輪郭が形成されており、
上記下地材は、上記第３の辺が上記フローリング材の第１の方向に向けて配置され、上記第４の辺が上記フローリング材の第２の方向に向けて配置され、
上記第３の辺は、上記第１及び第２の方向と斜めに交差する方向の変形部分を有し、
上記第３の辺の上記変形部分は、上記下地材を敷いたときに上記第２の辺の方向に関して隣接する別の下地材に上記変形部分と相補的関係をもって形成されている別の上記第３の辺の変形部分に突き合わされ、上記下地材と上記別の下地材が上記第１の方向に隙間無く配置される、
ことを特徴とする床構造の施工方法。
【請求項４】
上記第４の辺は、上記第１及び第２の方向と斜めに交差する方向の方向成分を有する直線又は曲線を描く変形部分を有し、
上記第４の辺の上記変形部分は、上記下地材を敷いたときに上記第１の方向に関して隣接する別の下地材に上記変形部分と相補的関係をもって形成されている別の上記第４の辺の変形部分に突き合わされ、上記下地材と上記別の下地材が上記第２方向に隙間無く配置される、
ことを特徴とする請求項３に記載の床構造の施工方法。
【請求項５】
コンクリート、モルタル下地、石膏ボード等の無機材料による下地又は構造用合板、パーティクルボード等の木質材料による下地からなる基準面の上に下地材と軟質フローリング材を積層して構成される床構造に用いられる床下地材であって、
上記床下地材は、
対向する一対の第１の辺と、対向する一対の第２の辺とによって周囲に輪郭が形成されており、
上記第１の辺は、直交する第３及び第４の方向と斜めに交差する方向の方向成分を有する直線又は曲線を描く変形部分を有し、
上記第１の辺の上記変形部分は、上記床下地材を敷いたときに上記第３の方向に関して隣接する別の床下地材に上記変形部分と相補的関係をもって形成されている別の上記台１の辺の変形部分に突き合わされ、上記床下地材と上記別の床下地材が上記第３の方向に隙間無く配置されるように形成されている、
ことを特徴とする床下地材。
【請求項６】
上記第２の辺は、上記第３及び第４の方向と斜めに交差する方向の方向成分を有する直線又は曲線を描く変形部分を有し、
上記第２の辺の上記変形部分は、上記下地材を敷いたときに上記第４の方向に関して隣接する別の下地材に上記変形部分と相補的関係をもって形成されている別の上記第２の辺の変形部分に突き合わされ、上記下地材と上記別の下地材が上記第４方向に隙間無く配置される、
ことを特徴とする請求項５に記載の床下地材。
【請求項７】
上記変形部分は、上記第３及び第４の方向と所定の角度をもって交差する方向に伸びる斜めの直線部分からなり、
上記第１及び第２の辺の一方又は両方は、上記斜めの直線部分が連続したジグザグ形状を有する、
ことを特徴とする請求項５又は請求項６の床下地材。
【請求項８】
上記変形部分は、上記第３及び第４の方向と所定の角度をもって交差する方向に伸びる曲線部分からなり、
上記第１及び第２の辺の一方又は両方は、上記斜めの曲線部分が連続的又は間欠的に表れる波形形状を有する、
ことを特徴とする請求項５又は請求項６の床下地材。
【請求項９】
第１の方向を向く１対の第１の辺と第２の方向を向く第２の辺によって周囲の輪郭が形成された軟質フローリング材を敷き詰めて床表面が形成される床構造であって、
上記フローリング材の下に配置される下地は、対向する一対の第３の辺と、対向する一対の第４の辺とによって周囲の輪郭が形成された四角形の板状下地板を敷き詰めて構成されており、
上記下地材は、上記第３の辺と上記第４の辺がそれぞれ上記フローリング材の第１の方向及び第２の方向と所定の角度をもって斜めに交差するように配置されている、
ことを特徴とする床構造。
【発明の詳細な説明】
【技術分野】
【０００１】
本発明は、建物等の床構造、床構造の施工方法、および床下地材に関する。
【背景技術】
【０００２】
マンション等の集合住宅では、仕上げが美しく、掃除が容易である等の理由から木質系の硬質フローリング材の多くの床構造が使用されてきた。例えば、木質系のフローリング材の床は、コンクリート、モルタル下地、石膏ボード等の無機材料による下地又は構造用合板、パーティクルボード等の木質材料による下地等の基礎構造の上に、衝撃吸収や遮音性に優れた材料からなる床下地材を介して配置される（例えば、特許文献１参照）。床下地材には、発泡型床下地材や木質系床下地材など、従来から種々の形態が提案されている。しかし、このような床下地材を取り付けても、木質系のフローリング材は堅い木材の小片であるため、衝撃や音が近隣の住居（特に、階下の住宅や居室）に伝わり易い。特に、マンションなどの集合住宅における衝撃や音の伝播は、近隣住民とのトラブルの原因になることもある。
【０００３】
そこで、木質系のフローリング材に代えて、比較的軟らかい合成樹脂（例えば、ポリ塩化ビニル）からなる軟質系フローリング材が提案されて利用されている。この軟質系のフローリング材は、衝撃や音の吸収性に優れるうえ、木質系フローリング材に比べて傷つきにくく、汚れにくいため、ライフサイクルが長いという、数々の利点を有する。
【特許文献１】特開２００１−３２３６４９号公報
【発明の開示】
【発明が解決しようとする課題】
【０００４】
しかしながら、ポリ塩化ビニルのような合成樹脂からなる軟質フローリング材を用いた床構造では、フローリング材の短辺方向に伸びたり、衝撃を緩衝するために圧縮されたりすることによって床下地材の目地が凹凸模様となって床面に表れるという問題がある。具体的には、特に気温が高い時期に施工すると、床下地材が膨張することによって隣接する床下地材の継ぎ目が僅かに浮き上がり、それによって表面の軟質フローリング材が僅かに波打ち、あるいは、床下地材が衝撃を緩衝するために変位を生じ、床下地材の目地が段差を生じ、そこで床面に入射する光の反射方向が変わることによって床面の美観を損なうことがある。
【０００５】
上記の問題を解決するため、床下地材の目地模様が床面に表れることのない床下地材及び床構造並びにその施工方法を提供することを目的とする。
【課題を解決するための手段】
【０００６】
この目的を達成するため、本発明は、
第１の方向を向く１対の第１の辺と第２の方向を向く第２の辺によって周囲の輪郭が形成された軟質フローリング材を敷き詰めて床表面が形成される床構造であって、
上記フローリング材の下に配置される下地は、対向する一対の第３の辺と、対向する一対の第４の辺とによって周囲に輪郭が形成された四角形の板状下地板を敷き詰めて構成されており、
上記下地材は、上記第３の辺が上記フローリング材の第１の方向に向けて配置され、上記第４の辺が上記フローリング材の第２の方向に向けて配置されており、
上記第３の辺は、上記第１及び第２の方向と斜めに交差する方向の方向成分を有する直線又は曲線を描く変形部分を有し、
上記第３の辺の上記変形部分は、上記下地材を敷いたときに上記第２の方向に関して隣接する別の下地材に上記変形部分と相補的関係をもって形成されている別の上記第３の辺の変形部分に突き合わされ、上記下地材と上記別の下地材が上記第１の方向に隙間無く配置されるように形成されている、
ことを特徴とする。
【０００７】
本発明はまた、
コンクリート、モルタル下地、石膏ボード等の無機材料による下地又は構造用合板、パーティクルボード等の木質材料による下地からなる基準面の上に、下地材と軟質フローリング材を積層して構成される床構造の施工方法において、
上記フローリング材は、第１の方向を向く１対の第１の辺と第２の方向を向く第２の辺によって周囲の輪郭が形成さており、
上記下地材は、対向する一対の第３の辺と、対向する一対の第４の辺とによって周囲の輪郭が形成されており、
上記下地材は、上記第３の辺が上記フローリング材の第１の方向に向けて配置され、上記第４の辺が上記フローリング材の第２の方向に向けて配置され、
上記第３の辺は、上記第１及び第２の方向と斜めに交差する方向の変形部分を有し、
上記第３の辺の上記変形部分は、上記下地材を敷いたときに上記第２の辺の方向に関して隣接する別の下地材に上記変形部分と相補的関係をもって形成されている別の上記第３の辺の変形部分に突き合わされ、上記下地材と上記別の下地材が上記第１の方向に隙間無く配置される、
ことを特徴とする。
【０００８】
本発明はさらに、
コンクリート、モルタル下地、石膏ボード等の無機材料による下地又は構造用合板、パーティクルボード等の木質材料による下地からなる基準面の上に下地材と軟質フローリング材を積層して構成される床構造に用いられる床下地材であって、
上記床下地材は、
対向する一対の第１の辺と、対向する一対の第２の辺とによって周囲に輪郭が形成されており、
上記第１の辺は、直交する第３及び第４の方向と斜めに交差する方向の方向成分を有する直線又は曲線を描く変形部分を有し、
上記第１の辺の上記変形部分は、上記床下地材を敷いたときに上記第３の方向に関して隣接する別の床下地材に上記変形部分と相補的関係をもって形成されている別の上記台１の辺の変形部分に突き合わされ、上記床下地材と上記別の床下地材が上記第３の方向に隙間無く配置されるように形成されている、
ことを特徴とする。
【０００９】
本発明はまた、
第１の方向を向く１対の第１の辺と第２の方向を向く第２の辺によって周囲の輪郭が形成された軟質フローリング材を敷き詰めて床表面が形成される床構造であって、
上記フローリング材の下に配置される下地は、対向する一対の第３の辺と、対向する一対の第４の辺とによって周囲の輪郭が形成された四角形の板状下地板を敷き詰めて構成されており、
上記下地材は、上記第３の辺と上記第４の辺がそれぞれ上記フローリング材の第１の方向及び第２の方向と所定の角度をもって斜めに交差するように配置されている、
ことを特徴とする。
【発明の効果】
【００１０】
このような構成を有する床構造、床構造の施工方法、および床下地によれば、床下地材の膨張が斜めの変形部分又は曲線からなる変形部分によって吸収されることから、床下地材の目地が、軟質フローリング材で形成された床表面に表出することがなく、フローリング床の美観を維持できる。
【発明を実施するための最良の形態】
【００１１】
実施の形態１．
図１は、実施の形態１の床構造１０を示す。床構造１０は、コンクリート、モルタル下地、石膏ボード等の無機材料による下地又は構造用合板、パーティクルボード等の木質材料による下地からなる基準面の上に設けられるものであり、表面仕上げ材の軟質フローリング材１２と軟質フローリング材１２を支える床下地材からなり、床下地材が下層の第１床下地材１４と、上層の第２床下地材１６ａを有する。
【００１２】
軟質フローリング材１２は、上面に木目模様等の模様が印刷された細長い長方形の部材であり、一対の短辺（第１の方向を向く第１の辺）と、一対の長辺（第２の方向を向く第２の辺）とによって周囲の輪郭が形成されている。軟質フローリング材１２は、例えばポリ塩化ビニル系やポリエチレン、ポリプロピレンに代表されるオレフィン系、アクリル系、ポリエステル系、ポリウレタン系等の合成樹脂又は木質系、プリントを施した紙系や和紙のような化粧紙、不織布等の化粧シートを積層した合成樹脂、カーペット等の繊維系タイルやゴム系の軟質の材料を用いて製造される。フローリング材１２は、後に説明する床下地材の上に、図１に示すように同一方向に向けて、すなわち、長辺方向（第２の方向であり、図１に矢印１９で示す方向）を所定の方向（図の左右方向）に向けて隙間無く敷き詰められる。
【００１３】
軟質フローリング材１２は、上述のように木質系のフローリングのような外観と、木質系のフローリングよりも汚れにくく、傷つきにくい床が実現できる。また、軟質系のフローリング材１２は、フローリングよりも柔らかいため、衝撃の吸収性及び遮音性に優れ、また、転倒時の怪我を防止することもできる。このような軟質系のフローリング材１２は、集合住宅、幼稚園、老人ホームなどの床に好適である。また、軟質系のフローリング材１２は、上述のように汚れにくく傷つきにくいため、床構造の寿命が長くなり、ランニングコストを低減できる。また、例えば合成樹脂は木材よりも安価であるため、フローリング材の費用を抑えることができる。
【００１４】
第２床下地材（下地材）１６ａは、フローリング材１２の下に配置されて第２下地を構成する。第２床下地材１６ａは、図２に示すように、概ね四角形の板状の下地材であり、対向する一対の第３の辺２２ａと、対向する一対の第４の辺２３とによって周囲の輪郭２１ａが形成される。第２床下地材１６ａの第４の辺２３は、フローリング材１２の長辺方向に向けて配置される。また、第３の辺２２ａは、フローリング材１２の短辺方向（第１の方向であり、長辺方向と直交する方向）に向けて配置される。第３の辺２２ａは、フローリング材１２の長辺方向及び短辺方向と斜めに交差する方向の方向成分を有する曲線を描く変形部分を有する。その変形部分は、第２床下地材１６ａを敷いたときに、フローリング材１２の長辺方向に関して隣接する別の第２床下地材に形成されている別の変形部分に突き合わされる。そのため、第２床下地材１６ａの変形部分は、フローリング材１２の長辺方向に隙間無く配置されるように、隣接する別の第２床下地材の変形部分と相補的関係をもって形成されている。ここで、「隙間がない」とは、床下地材の間隔が数ミリメートル程度以下の状態を言い、特にことわらない限り、以下においても同様の意味で用いる。
【００１５】
第２床下地材１６ａは、好ましくは、硬質又は軟質の発泡体、硬質又は軟質のソリッドゴムのように柔軟性と耐圧縮性を備えた材料で製造される。このような材料を利用することによって、歩き心地を向上させることができる。
【００１６】
第１床下地材１４は、第２床下地材１６ａの下に配置されて第１下地を構成する。第１床下地材１４は、図１に示すような長方形の板状の下地材である。第１床下地材１４の材料は、例えば不織布が下面に取り付けられたゴム材である。ゴム材は、発泡ゴムからなる部材、ソリッドゴムで作られた複数の突起を有するゴム突起部材などである。ゴム突起部材は、不織布の上に縦横に配置される複数の突起を含む。ゴム突起部材の各突起は、上下に出没自在に成型されており、例えば中空の山型の突起である。このようなゴム材は、衝撃吸収と吸音性に優れたものであることが好ましい。また、ゴム材と不織布は、固着力、製造工程の簡素さ、製造コストの観点から、互いに溶着または融着されることが好ましいが、接着剤、粘着材などにより取り付けられてもよい。第１床下地材１４の下面に不織布を取り付けることによって、衝撃および音の吸収性、制震性などが向上する他に、基礎材への接着力を向上させることが可能になる。
【００１７】
次に、床構造１０の床構造の施工方法について説明する。まず、第１床下地材１４が、基準面の上に、図１に示すように、隙間無く配置されて接着剤等で固定される。これにより、第１下地が形成される。なお、第１床下地材１４は、釘などによって基準面の上に固定されてもよい。
【００１８】
次に、第２床下地材１６ａが、第１床下地材１４の上に隙間無く配置されて固定される。このとき、第２床下地材１６ａの第３の辺２２ａの変形部分は、第４の辺２３の方向に隣接する第２床下地材１６ａの第３の辺２２ａの変形部分と隙間無く突き合わして配置される。上述のように、変形部分は相補的な関係にあるため、第４の辺２３の方向に隙間のない第２下地が形成される。また、第２床下地材１６ａの第４の辺２３も、第３の辺２２ａの方向に隣接する第２床下地材１６ａの第４の辺２３と隙間無く突き合わして配置されるため、第３の辺２２ａの方向にも隙間のない第２下地が形成される。
【００１９】
次に、フローリング材１２が第２下地の上に配置され、接着剤又は粘着材で固定される。フローリング材１２は、その長辺方向を第２床下地材１６ａの第４の辺２３の方向に向け、その短辺方向を第２床下地材１６ａの第３の辺２２ａの方向に向けて配置され、それによって、第２床下地材１６ａの第３の辺２２ａの変形部分は、フローリング材１２の長辺方向及び短辺方向と斜めに交差する。
【００２０】
このように、床構造１０を施工することにより、上述のような基準面の上に第１及び第２床下地材１４，１６ａとフローリング材１２を積層した床構造が形成される。
【００２１】
ところで、全ての輪郭が直線縁で形成された四角形の床下地材を、フローリング材１２と平行に、すなわち、フローリング材１２の短辺方向に床下地材の直線縁を整列させて配置した場合、床下地材の膨張によって隣接する床下地材の継ぎ目が互いにせり上がり（浮き上がり）、そのせり上がりによってフローリング材が浮き上がり、表面の美観に悪い影響を与える。これに対し、本実施の形態の床構造及びその施工方法では、フローリング材１２の長辺方向と交差する第３の辺２２ａはその殆どが長辺方向及び短辺方向に対して斜めに伸びているので、例えば、第４の辺２３の方向に膨脹したとしても、隣接する第２床下地材１６ａと押し合う力は、分散する。そのため、第２床下地材１６ａの浮き上がりを防止することができ、床下地材の継ぎ目がフローリング材に表出することを防ぐことが可能になる。
【００２２】
このように、本実施の形態では、第２床下地材１６ａの輪郭２１ａがフローリング材１２の長辺方向と直交することが実質的に無くなるため、第２床下地材１６ａの目地模様がフローリング材１２の表面に現れることを防ぐことができ、化粧材１２の表面の美観を向上させることが可能になる。ここで、「床下地材の輪郭が化粧材の長辺方向と直交しない」とは、床下地材が、化粧材の長辺方向と直交する一定の長さ以上の直線部分を有する輪郭を含まないことをいい、以下においても同様の意味で用いる。ここでの、一定の長さは、フローリング材１２の幅や素材等によって、変化し得る。
【００２３】
以上、本実施の形態に係る第２床下地材、床構成及びその施工方法について説明したが、本発明はこれに限定されるものではない。例えば、第２床下地材の形状には、種々の変形例が考えられる。図３と図４とはそれぞれ、第２床下地材の変形例に係る平面図である。
【００２４】
図３に示す第２床下地材１６ｂは、実施の形態１と同様に、対向する一対の第４の辺２３と対向する一対の第３の辺２２ｂによって周囲に輪郭２１ｂが形成された四角形の板状下地板である。第４の辺２３は、実施の形態１と同様の直線形状を有する。第３の辺２２ｂの変形部分は、フローリング材１２の長辺方向と短辺方向と所定の角度をもって交差する方向に伸びる斜めの直線部分からなっており、第３の辺２２ｂは、斜めの直線部分斜めの直線部分が連続したジグザグ形状を有する。
【００２５】
また、図４に示す第２床下地材１６ｃも、実施の形態１と同様に、対向する一対の第４の辺２３と対向する一対の第３の辺２２ｃによって周囲に輪郭２１ｃが形成された四角形の板状下地板である。第４の辺２３は、実施の形態１と同様の直線形状を有する。第３の辺２２ｃの変形部分は、フローリング材１２の長辺方向と短辺方向と所定の角度をもって交差する方向に伸びる斜めの曲線部分からなっており、第３の辺２２ｃは、斜めの曲線部分が連続的に表れる波形形状を有している。具体的には、第３の辺２２ｃは、真円の上部分の上部分の半円と下部分の半円とが連続的に直接接続された形状を有している。なお、第３の辺２２ｃは、例えば、上部分の半円と下部分の半円とが直線を介して連続的に接続された形状のように、斜めの曲線部分が間欠的に表れる波形形状を有してもよい。
【００２６】
このように、実施の形態１の変形例に係る第２床下地材１６ｂ，１６ｃも、実施の形態１と同様の構造の床構造１０に適用され、また、実施の形態１と同様の施工方法で床構造を形成することによって、その輪郭２１ｂ，２１ｃがフローリング材１２の長辺方向と直交することがなくなる。そのため、第２床下地材１６ｂ，１６ｃの目地模様がフローリング材１２の表面に現れることを防ぐことができ、化粧材１２の表面の美観が向上させることが可能になる。
【００２７】
実施の形態２．
実施の形態１では、第２床下地材１６は輪郭２１ａを形成する２対の辺のうち、１対の第３の辺にのみ変形部分を含むが、輪郭を形成する２対の辺のいずれにも変形部分を含んでもよい。
【００２８】
図５は、実施の形態２の床構造３０を示す。床構造３０は、概ね実施の形態１に係る床構造１０と同じ構造であり、違いは、第２床下地材３６ａの形状にある。そのため、ここでは、主に第２床下地材３６ａの形状について説明し、その他の構成に関する説明は省略する。
【００２９】
第２床下地材３６ａは、フローリング材１２の下に配置されて第２下地を構成する。第２床下地材３６ａは、図６に示すように、概ね四角形の板状の下地材であり、対向する一対の第３の辺４２ａと、対向する一対の第４の辺４２ｂとによって周囲の輪郭４１ａが形成される。
【００３０】
第３の辺４２ａは、フローリング材１２の短辺方向（第１の方向）に向けて配置される。第３の辺４２ａは、フローリング材１２の長辺方向（第２の方向であり、短辺方向と直交する方向）及び短辺方向と斜めに交差する方向の方向成分を有する曲線を描く変形部分を有する。その変形部分は、第２床下地材３６ａを敷いたときに、フローリング材１２の長辺方向に関して隣接する別の第２床下地材に形成されている別の変形部分に突き合わされる。そのため、第２床下地材３６ａの変形部分は、フローリング材１２の長辺方向に隙間無く配置されるように、隣接する別の第２床下地材の変形部分と相補的関係をもって形成されている。
【００３１】
第４の辺４２ｂは、フローリング材１２の長辺方向に向けて配置される。第４の辺４２ｂは、フローリング材１２の長辺方向及び短辺方向と斜めに交差する方向の方向成分を有する曲線を描く変形部分を有する。その変形部分は、第２床下地材３６ａを敷いたときに、フローリング材１２の短辺方向に関して隣接する別の第２床下地材に形成されている別の変形部分に突き合わされる。そのため、第２床下地材３６ａの変形部分は、フローリング材１２の長辺方向に隙間無く配置されるように、隣接する別の第２床下地材の変形部分と相補的関係をもって形成されている。
【００３２】
次に、床構造３０の床構造の施工方法について説明する。まず、第１床下地材１４が、基準面の上に、図５に示すように、隙間無く配置されて接着剤等で固定される。これにより、第１下地が形成される。次に、第２床下地材３６ａが、第１床下地材１４の上に隙間無く配置されて固定される。このとき、第２床下地材３６ａの第３の辺４２ａ及び第４の辺４２ｂは、隣接する第２床下地材３６ａの第３の辺４２ａ及び第４の辺４２ｂのそれぞれと突き合わして配置される。これにより、隙間のない第２下地が形成される。
【００３３】
次に、フローリング材１２が第２下地の上に配置され、接着剤又は粘着材で固定される。このとき、フローリング材１２は、第２床下地材３６ａの第３の辺４２ａ及び第４の辺４２ｂがフローリング材１２の長辺方向及び短辺方向と所定の角度をもって斜めに交差するように配置される。
【００３４】
このように、床構造１０を施工することにより、上述のような基準面の上に第１及び第２床下地材１４，３６ａとフローリング材１２を積層した床構造が形成される。
【００３５】
本実施の形態の床構造及びその施工方法では、フローリング材１２の長辺方向と交差する第３の辺４２ａは、その殆どが長辺方向及び短辺方向に対して斜めに伸びているので、例えば、第４の辺４２ｂの方向に膨脹したとしても、隣接する第２床下地材１６ａと押し合う力は、分散する。また、フローリング材１２の短辺方向と交差する第４の辺４２ｂは、その殆どが長辺方向及び短辺方向に対して斜めに伸びているので、例えば、第４の辺４２ｂの方向に膨脹したとしても、隣接する第２床下地材１６ａと押し合う力は、分散する。そのため、第２床下地材１６ａの浮き上がりを防止することができ、床下地材の継ぎ目がフローリング材に表出することを防ぐことが可能になる。
【００３６】
このように、本実施の形態では、第２床下地材３６ａの輪郭４１ａがフローリング材１２の長辺方向及び短辺方向と直交することが実質的に無くなるため、第２床下地材１６ａの目地模様がフローリング材１２の表面に現れることを防ぐことができ、化粧材１２の表面の美観を向上させることが可能になる。
【００３７】
実施の形態３．
実施の形態１及び実施の形態２では、それぞれの第２床下地材１６及び３６は輪郭２１ａ及び４１ａに変形部分を含むが、輪郭２１ａ及び４１ａに変形部分を含まない、例えば四角形の第２床下地材であっても、第２床下地材の目地模様が化粧剤１２表面に現れることを防ぐことができる（図８及び９参照）。
【００３８】
図８は、実施の形態３の床構造の一例を示す斜視図である。床構造１００は、概ね実施の形態１と同様であり、一対の長辺と一対の短辺によって周囲の輪郭が形成され、同一方向に向けて敷き詰めて床表面を形成する軟質のフローリング材１２と、第１及び第２床下地材１４，１１６とから形成される。実施の形態１との違いは、第２床下地材１１６の配列方向である。第２床下地材１１６は、図８に示すように、上方から見た形状が長方形の板状下地板である。なお、第２床下地材１１６は、図９に示す床構造２００を構成するような平行四辺形であってもよい。すなわち、第２床下地材１１６は、対向する一対の第４の辺と対向する一対の第３の辺によって周囲の輪郭が形成されている。第２下地は、第２床下地材１１６を敷き詰めて構成される。第２床下地材１１６の第４の辺と第３の辺が、フローリング材１２の長辺方向（図８の矢印１９が指し示す方向）及び短辺方向と所定の角度をもって斜めに交差する方向に配置されている。
【００３９】
次に、施工方法について説明する。まず、第１床下地材１４が、基準面の上に、図８に示すように、隙間無く配置されて接着剤等で固定される。これにより、第１下地が形成される。次に、第２床下地材１１６（２１６）が、第１床下地材１４の上に隙間無く配置されて固定される。このとき、第２床下地材１１６（２１６）の第４の辺及び第３の辺は、隣接する第２床下地材１１６（２１６）の第４の辺及び第３の辺のそれぞれと突き合わして配置される。これにより、隙間のない第２下地が形成される。
【００４０】
次に、フローリング材１２が第２下地の上に配置され、接着剤又は粘着材で固定される。このとき、フローリング材１２は、第２床下地材１１６（２１６）の第４の辺及び第３の辺がフローリング材１２の長辺方向及び短辺方向と所定の角度をもって斜めに交差するように配置される。
【００４１】
このように、本実施の形態では、第２床下地材１１６（２１６）の輪郭がフローリング材１２の長辺方向と直交することがなくなるため、第２床下地材１１６（２１６）の目地模様がフローリング材１２の表面に現れることを防ぐことができ、フローリング材１２の表面の美観が向上させることが可能になる。
【００４２】
以上、本発明に係る実施の形態１及び２について説明したが、本発明は、これらの実施の形態に限定されるものではない。例えば、フローリング材１２は、長方形であるとしたが、第１の方向を向く一対の第１の辺と、第２の方向を向く一対の第２の辺とによって周囲の輪郭が形成される正方形であってもよい。また例えば、実施の形態では、床構造は、第１及び第２下地とフローリング材との３層としたが、１つの下地とフローリング材との２層構造であってもよく、また、３つ以上の下地とフローリング材との多層構造であってもよい。本発明の範囲において、層の数、各層を形成する床下地材の形状や素材などが適宜選択されることによって、床構造の衝撃吸収性、音吸収性、歩行感、制震性などを向上させることができる。
【００４３】
また例えば、実施の形態では、第１床下地材１４の形状は、長方形であるとしたが、いかなる形状であってもよい。施工の便宜上からは、第１床下地材１４の形状は、長方形や第２床下地材１６ａ，１６ｂ，１６ｃ，１１６，２１６と同じ形状であることが好ましい。さらに、第２床下地材１６ａ，１６ｂ，１６ｃ，１１６，２１６と同じ形状である場合は、第１床下地材１４と第２床下地材１６ａとが接着剤などで一体になっていることが好ましい。第１床下地材１４と第２床下地材１６ａ，１６ｂ，１６ｃ，１１６，２１６とが一体であることによって、第１及び第２床下地材を一度に取り付けることができ、施工が容易になる。
【産業上の利用可能性】
【００４４】
本発明の床下地材および床構造は、住居、各種施設、オフィスなどの床を構成する床構造に適用できる。
【図面の簡単な説明】
【００４５】
【図１】実施の形態１の床構造を示す斜視図。
【図２】実施の形態１の床下地材の平面図。
【図３】実施の形態１の第１の変形例に係る床下地材の平面図。
【図４】実施の形態１の第２の変形例に係る床下地材の平面図。
【図５】実施の形態２の床構造を示す斜視図。
【図６】実施の形態２の床下地材の平面図。
【図７】実施の形態２の第１の変形例に係る床下地材の平面図。
【図８】実施の形態３の床構造の一例を示す斜視図。
【図９】実施の形態３の床構造の他の例示す斜視図。
【符号の説明】
【００４６】
１０・１００・２００  床構造，１２  フローリング材，１４  第１床下地材，１６ａ・１６ｂ・１６ｃ・３６ａ・３６ｂ・１１６・２１６  第２床下地材，２１ａ・２１ｂ・２１ｃ・４１ａ・４１ｂ  輪郭，２２ａ  ・２２ｂ・２２ｃ  第３の辺，２３  第４の辺
【図１】
2009203626.tif 000003
【図２】
2009203626.tif 000004
【図３】
2009203626.tif 000005
【図４】
2009203626.tif 000006
【図５】
2009203626.tif 000007
【図６】
2009203626.tif 000008
【図７】
2009203626.tif 000009
【図８】
2009203626.tif 000010
【図９】
2009203626.tif 000011